(57)【要約】【課題】  複数の帯状部材を積層して揃えた状態で保持することが可能で、且つ、ずれを防止しつつ、帯状部材を対象物に容易に取り付けることができる帯状部材取り付け具を提供する。【解決手段】  内面側に設けられた接着部同士が当接した際に接着することによってリング状に形成される帯状部材２を対象物Ｘに取り付けるための帯状部材取り付け具であって、複数の帯状部材２を積層させた状態で着脱自在に保持する保持手段３と、保持手段３によって保持される帯状部材３のずれを規制するずれ防止部４と、帯状部材２の外面側をそれぞれ押圧し、接着部同士を当接させて接着させるために、先端側が所定位置から互いに近接するように基端側がずれ防止部４に回動自在に取り付けられる一対の押さえ片５ａ、５ｂと、一対の押さえ片５ａ、５ｂをそれぞれ所定位置に戻すように、互いに離反する方向に回動させる付勢力を作用させる第１付勢手段６とを備える。【選択図】図１０
2017036085.tif 000002
【特許請求の範囲】
【請求項１】
内面側に設けられた接着部同士が当接した際に接着することによってリング状に形成される帯状部材を、周囲を囲むように対象物に取り付けるための帯状部材取り付け具であって、
複数の前記帯状部材を積層させた状態で着脱自在に保持する保持手段と、
前記保持手段によって保持されている前記帯状部材のずれを規制するずれ防止部と、
前記帯状部材の外面側をそれぞれ押圧し、前記接着部同士を当接させて接着させるために、先端側が所定位置から互いに近接するように、基端側が前記ずれ防止部に回動自在に取り付けられる一対の押さえ片と、
前記一対の押さえ片をそれぞれ前記所定位置に戻すように、互いに離反する方向に回動させる付勢力を作用させる第１付勢手段とを備え、
前記帯状部材は、前記対象物を結束するための結束材であることを特徴とする帯状部材取り付け具。
【請求項２】
前記結束材は、線状又は帯状の金属部材を樹脂フィルムによって被覆することにより形成されることを特徴とする請求項１に記載の帯状部材取り付け具。
【請求項３】
内面側に設けられた接着部同士が当接した際に接着することによってリング状に形成される帯状部材を、周囲を囲むように対象物に取り付けるための帯状部材取り付け具であって、
複数の前記帯状部材を積層させた状態で着脱自在に保持する保持手段と、
前記保持手段によって保持されている前記帯状部材のずれを規制するずれ防止部と、
前記帯状部材の外面側をそれぞれ押圧し、前記接着部同士を当接させて接着させるために、先端側が所定位置から互いに近接するように、基端側が前記ずれ防止部に回動自在に取り付けられる一対の押さえ片と、
前記一対の押さえ片をそれぞれ前記所定位置に戻すように、互いに離反する方向に回動させる付勢力を作用させる第１付勢手段とを備え、
前記帯状部材は、殺虫剤、害虫忌避剤、栄養補助剤のいずれかの薬剤が塗布又は含浸されていることを特徴とする帯状部材取り付け具。
【請求項４】
内面側に設けられた接着部同士が当接した際に接着することによってリング状に形成される帯状部材を、周囲を囲むように対象物に取り付けるための帯状部材取り付け具であって、
複数の前記帯状部材を積層させた状態で着脱自在に保持する保持手段と、
前記保持手段によって保持されている前記帯状部材のずれを規制するずれ防止部と、
前記帯状部材の外面側をそれぞれ押圧し、前記接着部同士を当接させて接着させるために、先端側が所定位置から互いに近接するように、基端側が前記ずれ防止部に回動自在に取り付けられる一対の押さえ片と、
前記一対の押さえ片をそれぞれ前記所定位置に戻すように、互いに離反する方向に回動させる付勢力を作用させる第１付勢手段とを備え、
前記帯状部材は、前記対象物に対応する識別情報が付与されていることを特徴とする帯状部材取り付け具。
【請求項５】
前記帯状部材は、内面側に設けられた前記接着部同士が当接して接着されることにより形成される接着部分に切り離し用のミシン目が形成されており、
前記識別情報は、前記ミシン目で切り離される切り離し部分と、リング状に形成されているリング状部分とに、互いに対応付けられて付与されていることを特徴とする請求項４に記載の帯状部材取り付け具。
【請求項６】
前記ずれ防止部は、前記帯状部材のずれを規制する規制状態から、前記帯状部材のずれの規制を解除する解除状態へ回動自在に設けられる一対のずれ防止カバー部材と、前記一対のずれ防止カバー部材の前記規制状態を保持する固定手段と、を備えることを特徴とする請求項１乃至５のいずれかに記載の帯状部材取り付け具。
【請求項７】
前記帯状部材は、貫通孔が形成されており、
前記保持手段は、前記貫通孔に挿通可能な挿通軸を有しており、前記挿通軸を前記貫通孔に挿通させた状態で積層された複数の前記帯状部材を着脱自在に保持することを特徴とする請求項１乃至６のいずれかに記載の帯状部材取り付け具。
【請求項８】
前記挿通軸の先端側には、前記挿通軸を前記貫通孔に挿通させた状態で積層された複数の前記帯状部材を着脱自在に保持する複数のブラシ毛が設けられていることを特徴とする請求項７に記載の帯状部材取り付け具。
【請求項９】
前記保持手段は、前記一対のずれ防止カバー部材内に収納された前記帯状部材の両側縁との接触部分に作用する摩擦力によって、前記一対のずれ防止カバー部材内に前記帯状部材を保持するための前記一対のずれ防止カバー部材の内面に設けられる摩擦部材であることを特徴する請求項６に記載の帯状部材取り付け具。
【請求項１０】
前記一対の押さえ片の先端側に、基端側がそれぞれ回動自在に、且つ先端側が互いに接近する方向に第２付勢手段により、回転付勢するように取り付けられ、更に前記帯状部材の両端側のずれをそれぞれ規制し、前記一対の押さえ片を前記所定位置から前記第１付勢手段の付勢力に抗して互いに近接する方向へ回動させる際に、前記先端側が互いに当接して、前記一対の押さえ片の近接する方向に対して前記第２付勢手段の付勢力に抗して逆方向に回動する一対の端部カバー部材を備えることを特徴とする請求項１乃至９のいずれかに記載の帯状部材取り付け具。
【請求項１１】
作業者の手の指を固定するためのバンドを支持するバンド支持部材が、前記ずれ防止部に設けられていることを特徴とする請求項１乃至１０のいずれかに記載の帯状部材取り付け具。
【発明の詳細な説明】
【技術分野】
【０００１】
本発明は、対象物に帯状部材を取り付けるための帯状部材取り付け具に関する。
【背景技術】
【０００２】
従来から、例えば、商品や植物等の対象物に帯状に形成されているタグを取り付けることが行われている。このようなタグの取り付け作業は、作業者の手で直接行われることもあるが、タグを取り付ける対象物の数が多い場合には、タグの取り付け作業に多くの手間と時間を要するという問題がある。そのため、これまでに簡易な作業で対象物にタグの取り付けを行うための器具が提案されている（例えば、特許文献１参照）。
【０００３】
特許文献１の器具１００は、主に植物の受粉日を識別するためのタグを植物のつるや果こう等の対象物に取り付けるためのものであって、図２０に示すように、それぞれの一端側が回動自在に軸１０１によって固定される２つの支持片１０２ａ、１０２ｂと、この２つの支持片１０２ａ、１０２ｂのそれぞれの他端側に固定されるクッション部材１０３ａ、１０３ｂと、支持片１０２ａ、１０２ｂのそれぞれの他端側が互いに離反する方向に回動するように付勢する引張バネ１０４とを有しており、クッション１０３ａ、１０３ｂに、柔軟性を有する短冊形状に形成され、表面の一端１０５ａ及び他端１０５ｂに剥離可能な粘着材が付けられたタグ１０５が積層された状態で装着されている。この積層されたタグ１０５は、上層から１枚ずつ剥れるように、上層から下層にかけて付けられる粘着材の粘着強度が順次低下するように積層されており、最も下層のタグ１０５の裏面の一端１０５ａ及び他端１０５ｂが、例えば、ゴムや薄いアルミ等の弾性を有する材質により構成される支持プレート１０６ａ、１０６ｂにそれぞれ接着され、この支持プレート１０６ａ、１０６ｂを介して、クッション部材１０３ａ、１０３ｂの互いに相向かい合う内面に固定されている。
【０００４】
そして、この器具１００を用いて、植物の果こうやつる等の対象物１０７にタグ１０５を取り付ける際には、タグ１０５の内周側に対象物１０７を位置させた状態で、作業者は、引張バネ１０４の付勢力に抗して、クッション部材１０３ａ、１０３ｂが互いに近接するように、支持片１０２ａ、１０２ｂ及びクッション部材１０３ａ、１０３ｂを内側方向に押圧することにより、積層されたタグ１０５のうち、最も上層のタグ１０５の表面の一端１０５ａ及び他端１０５ｂがそれぞれに付けられた粘着材により粘着させられ、対象物１０７の周囲を囲んだ状態で、当該タグ１０５はリング状に形成され、対象物１０７に取り付けられる。その後、作業者は、支持片１０２ａ、１０２ｂ及びクッション部材１０３ａ、１０３ｂの内側方向への押圧をやめることにより、引張バネ１０４の付勢力によって、クッション部材１０３ａ、１０３ｂはそれぞれ離れた状態に戻るので、対象物１０７に取り付けられたタグ１０５が積層された状態から自動的に剥離され、対象物１０７へのタグ１０５の取り付け作業を完了することができる。
【先行技術文献】
【特許文献】
【０００５】
【特許文献１】特開２０１１−２４６１６２号公報
【発明の概要】
【発明が解決しようとする課題】
【０００６】
しかしながら、特許文献１では、最も下層のタグの裏面をクッション部材に接着させて装着させる際に、ずれが生じると、作業者が、支持片及びクッション部材を内側方向に押圧した際に、積層されたタグのうち、最も上層のタグの表面の一端及び他端にそれぞれ付けられた粘着材がきっちりと重なり合わない虞があるため、最も下層のタグの裏面をクッション部材に装着する際は、ずれが生じないように慎重に作業を行う必要がある。
【０００７】
本発明は、上記のような課題に鑑みてなされたものであって、複数の帯状部材を積層して揃えた状態で保持することが可能で、且つ、ずれを防止しつつ、帯状部材を対象物に容易に取り付けることができる帯状部材取り付け具を提供することを目的とする。
【課題を解決するための手段】
【０００８】
上記目的を達成するために、本発明に係る帯状部材取り付け具は、内面側に設けられた接着部同士が当接した際に接着することによってリング状に形成される帯状部材を、周囲を囲むように対象物に取り付けるための帯状部材取り付け具であって、複数の前記帯状部材を積層させた状態で着脱自在に保持する保持手段と、前記保持手段によって保持されている前記帯状部材のずれを規制するずれ防止部と、前記帯状部材の外面側をそれぞれ押圧し、前記接着部同士を当接させて接着させるために、先端側が所定位置から互いに近接するように、基端側が前記ずれ防止部に回動自在に取り付けられる一対の押さえ片と、前記一対の押さえ片をそれぞれ前記所定位置に戻すように、互いに離反する方向に回動させる付勢力を作用させる第１付勢手段とを備え、前記帯状部材は、前記対象物を結束するための結束材であることを特徴としている。
【０００９】
また、本発明に係る帯状部材取り付け具は、前記結束材が、線状又は帯状の金属部材を樹脂フィルムによって被覆することにより形成されることを特徴としている。
【００１０】
また、上記目的を達成するために、本発明に係る帯状部材取り付け具は、内面側に設けられた接着部同士が当接した際に接着することによってリング状に形成される帯状部材を、周囲を囲むように対象物に取り付けるための帯状部材取り付け具であって、複数の前記帯状部材を積層させた状態で着脱自在に保持する保持手段と、前記保持手段によって保持されている前記帯状部材のずれを規制するずれ防止部と、前記帯状部材の外面側をそれぞれ押圧し、前記接着部同士を当接させて接着させるために、先端側が所定位置から互いに近接するように、基端側が前記ずれ防止部に回動自在に取り付けられる一対の押さえ片と、前記一対の押さえ片をそれぞれ前記所定位置に戻すように、互いに離反する方向に回動させる付勢力を作用させる第１付勢手段とを備え、前記帯状部材は、殺虫剤、害虫忌避剤、栄養補助剤のいずれかの薬剤が塗布又は含浸されていることを特徴としている。
【００１１】
また、上記目的を達成するために、本発明に係る帯状部材取り付け具は、内面側に設けられた接着部同士が当接した際に接着することによってリング状に形成される帯状部材を、周囲を囲むように対象物に取り付けるための帯状部材取り付け具であって、複数の前記帯状部材を積層させた状態で着脱自在に保持する保持手段と、前記保持手段によって保持されている前記帯状部材のずれを規制するずれ防止部と、前記帯状部材の外面側をそれぞれ押圧し、前記接着部同士を当接させて接着させるために、先端側が所定位置から互いに近接するように、基端側が前記ずれ防止部に回動自在に取り付けられる一対の押さえ片と、前記一対の押さえ片をそれぞれ前記所定位置に戻すように、互いに離反する方向に回動させる付勢力を作用させる第１付勢手段とを備え、前記帯状部材は、前記対象物に対応する識別情報が付与されていることを特徴としている。
【００１２】
また、本発明に係る帯状部材取り付け具では、前記帯状部材は、内面側に設けられた前記接着部同士が当接して接着されることにより形成される接着部分に切り離し用のミシン目が形成されており、前記識別情報は、前記ミシン目で切り離される切り離し部分と、リング状に形成されているリング状部分とに、互いに対応付けられて付与されていることを特徴としている。
【００１３】
また、本発明に係る帯状部材取り付け具は、前記ずれ防止部が、前記帯状部材のずれを規制する規制状態から、前記帯状部材のずれの規制を解除する解除状態へ回動自在に設けられる一対のずれ防止カバー部材と、前記一対のずれ防止カバー部材の前記規制状態を保持する固定手段と、を備えることを特徴としている。
【００１４】
また、本発明に係る帯状部材取り付け具では、前記帯状部材は、貫通孔が形成されており、前記保持手段は、前記貫通孔に挿通可能な挿通軸を有しており、前記挿通軸を前記貫通孔に挿通させた状態で積層された複数の前記帯状部材を着脱自在に保持することを特徴としている。
【００１５】
また、本発明に係る帯状部材取り付け具は、前記挿通軸の先端側には、前記挿通軸を前記貫通孔に挿通させた状態で積層された複数の前記帯状部材を着脱自在に保持する複数のブラシ毛が設けられていることを特徴としている。
【００１６】
また、本発明に係る帯状部材取り付け具は、前記保持手段が、前記一対のずれ防止カバー部材内に収納された前記帯状部材の両側縁との接触部分に作用する摩擦力によって、前記一対のずれ防止カバー部材内に前記帯状部材を保持するための前記一対のずれ防止カバー部材の内面に設けられる摩擦部材であることを特徴としている。
【００１７】
また、本発明に係る帯状部材取り付け具は、前記一対の押さえ片の先端側に、基端側がそれぞれ回動自在に、且つ先端側が互いに接近する方向に第２付勢手段により、回転付勢するように取り付けられ、更に前記帯状部材の両端側のずれをそれぞれ規制し、前記一対の押さえ片を前記所定位置から前記第１付勢手段の付勢力に抗して互いに近接する方向へ回動させる際に、前記先端側が互いに当接して、前記一対の押さえ片の近接する方向に対して前記第２付勢手段の付勢力に抗して逆方向に回動する一対の端部カバー部材を備えることを特徴としている。
【００１８】
また、本発明に係る帯状部材取り付け具は、作業者の手の指を固定するためのバンドを支持するバンド支持部材が、前記ずれ防止部に設けられていることを特徴としている。
【発明の効果】
【００１９】
本発明に係る帯状部材取り付け具によれば、複数の帯状部材を積層させた状態で着脱自在に保持する保持手段と、保持手段によって保持されている帯状部材のずれを規制するずれ防止部とを備えているので、複数の帯状部材を積層して揃えた状態で保持することができる。また、保持手段によって帯状部材のずれを規制しているので、一対の押さえ片により帯状部材の外面側をそれぞれ押圧することによって、帯状部材のずれを防止しつつ、帯状部材を対象物に対して容易に取り付けることができる。
【００２０】
また、本発明に係る帯状部材取り付け具によれば、対象物に取り付けられる帯状部材は、対象物を結束するための結束材であるので、周囲を囲むように帯状部材を対象物に取り付けることによって、対象物を容易に結束することができる。また、結束材は、線状又は帯状の金属部材を樹脂フィルムによって被覆することにより形成されるので、対象物を結束した状態を維持することができる。
【００２１】
また、本発明に係る帯状部材取り付け具によれば、対象物に取り付けられる帯状部材は、殺虫剤、害虫忌避剤、栄養補助剤のいずれかの薬剤が塗布又は含浸されているので、例えば、対象物が野菜や果物等の植物の場合には、このような帯状部材を取り付けることによって、識別を行うことができるだけでなく、対象物に害虫が寄ってくることを防止したり、対象物の栽培や育成を促進したりすることができる。
【００２２】
また、本発明に係る帯状部材取り付け具によれば、対象物に取り付けられる帯状部材は、対象物に対応する識別情報が付与されているので、このような帯状部材を対象物に取り付けることによって、容易に対象物の情報を取得することができる。
【００２３】
また、本発明に係る帯状部材取り付け具によれば、帯状部材は、内面側に設けられた接着部同士が当接して接着されることにより形成される接着部分に切り離し用のミシン目が形成されており、識別情報は、ミシン目で切り離される切り離し部分と、リング状に形成されているリング状部分とに、互いに対応付けられて付与されているので、切り離し部分を持っておくことによって、対応付けられているリング状部分が取り付けられている対象物を容易に識別することができる。
【００２４】
また、本発明に係る帯状部材取り付け具によれば、ずれ防止部は、帯状部材のずれを規制する規制状態から、帯状部材のずれの規制を解除する解除状態へ回動自在に設けられる一対のずれ防止カバー部材を備えているので、帯状部材を装着する際は、一対のずれ防止カバー部材を規制状態から解除状態へ回動させることで、容易に保持手段により帯状部材を保持させることができる。また、帯状部材を保持手段により保持させた後は、一対のずれ防止カバー部材を解除状態から規制状態に戻すことにより、容易に帯状部材のずれを規制することができる。また、ずれ防止部は、一対のずれ防止カバー部材の規制状態を保持する固定手段を備えているので、帯状部材が保持手段により保持された後、規制状態が容易に解除され、帯状部材にずれが生じることを防止することができる。
【００２５】
また、本発明に係る帯状部材取り付け具によれば、帯状部材は、貫通孔が形成されており、保持手段は、貫通孔に挿通可能な挿通軸を有しており、この挿通軸を貫通孔に挿通させた状態で積層された複数の帯状部材を着脱自在に保持するので、積層された複数の帯状部材を揃えた状態で容易に装着させることができ、且つ、帯状部材の数が減少したような場合でも、必要な数の帯状部材を容易に補充することができる。
【００２６】
また、本発明に係る帯状部材取り付け具によれば、挿通軸の先端側には、複数のブラシ毛が設けられているので、帯状部材の貫通孔に挿通軸を挿通させる際及び挿通軸を貫通孔から抜き出す際にブラシ毛は貫通孔内に収まるように変形し、挿通後及び抜き出し後に元の状態に回復することで、容易に帯状部材をブラシ毛によって着脱自在に保持することができる。
【００２７】
また、本発明に係る帯状部材取り付け具によれば、保持手段が、一対のずれ防止カバー部材内に収納された帯状部材の両側縁との接触部分に作用する摩擦力によって、帯状部材を保持する摩擦部材であるので、帯状部材に貫通孔を設けることなく、且つ、貫通孔に挿通可能な挿通軸を有していなくても帯状部材を保持することができる。これにより、帯状部材の貫通孔を形成するための加工処理等の手間を省くことができるので、生産性を向上させることができる。
【００２８】
また、本発明に係る帯状部材取り付け具によれば、保持手段に保持されている帯状部材の両端側のずれをそれぞれ規制する一対の端部カバー部材を備えているので、帯状部材の両端にずれが生じたり、折れ曲がったりすることを防止することができる。
【００２９】
また、本発明に係る帯状部材取り付け具によれば、作業者の手の指を固定するためのバンドを支持するバンド支持部材が、ずれ防止部に設けられているので、作業者は、指をしっかりと固定した状態で、一対の押さえ片の操作を行うことができ、帯状部材の取り付け作業の作業性を向上させることができる。また、指に付けたまま他の作業もし易くなる。
【図面の簡単な説明】
【００３０】
【図１】本発明の実施形態に係る帯状部材取り付け具の一例を示す概略正面図である。
【図２】帯状部材の一例を示す概略図であって、（ａ）は帯状部材の内面側を示しており、（ｂ）は帯状部材の外面側を示している。
【図３】帯状部材を保持する保持手段の一例を示す概略模式図である。
【図４】解除状態における帯状部材取り付け具の一例を示す概略正面図である。
【図５】解除状態における帯状部材取り付け具の一例を示す概略平面図である。
【図６】図５におけるＡ−Ａ線断面図である。
【図７】保持手段によって帯状部材を保持する際の様子を示す概略模式図である。
【図８】積層された帯状部材が装着されている際の帯状部材取り付け具を示す概略正面図である。
【図９】帯状部材取り付け具を用いて対象物に帯状部材を取り付ける際の状態を示す概略模式図である。
【図１０】対象物に帯状部材を取り付けた際の様子を示す概略模式図である。
【図１１】押さえ片に端部カバー部材を取り付ける際の様子を示す概略模式図である。
【図１２】端部カバー部材の他の一例を示す概略模式図である。
【図１３】保持手段の他の一例を示す概略模式図である。
【図１４】図１３における保持手段に帯状部材が装着された際の状態を示す概略正面図である。
【図１５】保持手段の他の一例を示す概略模式図である。
【図１６】保持手段の他の一例を示す概略縦断面図である。
【図１７】保持手段の更に他の一例を示す概略縦断面図である。
【図１８】帯状部材の他の一例を示す概略平面図である。
【図１９】図１８における帯状部材を対象物に取り付けた際の状態を示す概略模式図であって、（ａ）は帯状部材をミシン目で切り離す前の状態を示しており、（ｂ）は帯状部材をミシン目で切り離した後の状態を示している。
【図２０】タグを取り付けるための従来技術の一例を示す概略模式図である。
【発明を実施するための形態】
【００３１】
以下、本発明の実施形態に係る帯状部材取り付け具１について、図面を参照しつつ説明する。帯状部材取り付け具１は、例えば、商品や植物等の対象物に帯状部材２を取り付けるためのものであって、図１及び図８に示すように、複数の帯状部材２を積層させた状態で着脱自在に保持する保持手段３と、保持手段３によって保持されている帯状部材２のずれを規制するずれ防止部４と、先端側が互いに近接するように、基端側がずれ防止部４にそれぞれ回動自在に取り付けられる一対の押さえ片５ａ、５ｂと、この一対の押さえ片５ａ、５ｂを互いに離反する方向に付勢する板ばね（第１付勢手段）６とを備えている。
【００３２】
この帯状部材取り付け具１に装着される帯状部材２は、例えば、対象物を結束するための結束材であって、図２に示すように、線状又は帯状の金属部材である金属線２４等を樹脂フィルム等によって被覆することにより形成される柔軟性を有する短冊形状のビニタイ等を用いることができる。この帯状部材２は、中央部に貫通孔２１が形成されている。帯状部材２は、図２（ａ）に示すように、内面２２側の貫通孔２１を除くハッチングで示す部分全体に接着剤が塗布された接着部を有しており、図２（ｂ）に示すように、外面２３側は接着部を有しないものである。帯状部材２では、内面２２側に設けられた接着部同士が接触した場合のみに接着するように構成されており、帯状部材２の内面２２側の接着部と帯状部材２の外面２３が接触した場合には接着しないようになっている。従って、図４に示すように、複数の帯状部材２を積層させた場合でも、接着部が有する内面２２と接着部を有しない外面２３とが、接触した状態になるので、それぞれの帯状部材２を互いに接着させることなく、積層させることができる。内面２２側に設けられる接着部としては、例えば、アドヘア糊等の自着性接着剤等を用いることができる。尚、図２に示す帯状部材２では、貫通孔２１を除く内面２２の全体に接着部を有する例を示しているが、接着部が設けられる箇所は、これに限定されるものではなく、帯状部材２の縁同士は接着しないように帯状部材２の縁部には接着部を設けないようにしたり、又は帯状部材２の両端側のみに接着部を設けるようにしても良い。このような結束材としての帯状部材２によって結束される対象物は、植物等だけでなく、例えば、開封されている袋の開封部分を綴じるため等にも用いることができる。また、結束材としての帯状部材２は、ブドウやきゅうり等の植物の誘引に用いることもできる。
【００３３】
保持手段３は、複数の帯状部材２を積層させた状態で着脱自在に保持するためのものであって、図３に示すように、帯状部材２に形成されている貫通孔２１に挿通可能な挿通軸３１と、挿通軸３１の先端側に設けられる複数のブラシ毛３２とを有している。挿通軸３１は、例えば、図６に示すように、その基端側にキャップ部材３３を有しており、連結部材７の中央に形成された雌ネジ部７１と挿通軸３１の基端側に形成された雄ネジ部３４とが螺合することにより、連結部材７上にキャップ部材３３が当接した状態で取り付けられる。
【００３４】
このような複数のブラシ毛３２が設けられている保持手段３によって、複数の積層された帯状部材２を保持する際には、図４及び図７（ａ）に示すように、まず帯状部材２の外面２３側から挿通軸３１を貫通孔２１に挿通させる。この際、ブラシ毛３２は、図７（ａ）に示すように、貫通孔２１内に収まるよう変形し、挿通後は図７（ｂ）に示すように、元の状態に回復する。ブラシ毛３２は、図７（ｂ）に示すように、最も外側の帯状部材２の貫通孔２１の外周方向に延びて貫通孔２１を塞いでいるので、挿通後はこのブラシ毛３２により、力を加えない限り、挿通軸３１から帯状部材２が抜け出ることはない。尚、挿通軸３１に装着された帯状部材２を交換する際などにおいて、帯状部材２を抜き出す時も同様に、ブラシ毛３２は、貫通孔２１内に収まるよう変形し、帯状部材２が抜き出された後、元の状態に回復するので、複数の帯状部材２を必要に応じて容易に着脱することができる。
【００３５】
ずれ防止部４は、図１に示すように、保持手段３に保持されている帯状部材２が挿通軸３１を中心に回転すること等によるずれを規制するために、挿通軸３１の周囲に設けられるものであって、一対のずれ防止カバー部材４１ａ、４１ｂと、この一対のずれ防止カバー部材４１ａ、４１ｂを保持するための固定手段として機能する固定手段４２を備えている。
【００３６】
一対のずれ防止カバー部材４１ａ、４１ｂは、例えば、それぞれ連結部材７に設けられた軸８に回動自在に取り付けられており、図１及び図８に示すような帯状部材２の回転等によるずれを規制するために挿通軸３１の周囲を囲む規制状態から図４に示すような帯状部材２のずれの規制状態を解除する解除状態へ回動（一対の押さえ片５ａ、５ｂを互いに離反させる方向へ回動）できるように構成されている。一対のずれ防止カバー部材４１ａ、４１ｂは、例えば、樹脂等の材料によって構成され、それぞれ略同形状に形成されている。また、一対のずれ防止カバー部材４１ａ、４１ｂは、規制状態及び解除状態の際に、互いに当接するように構成されており、互いに当接する部分が噛み合うような形状に形成されている。尚、一対のずれ防止カバー部材４１ａ、４１ｂは、帯状部材２の残量の目安となる目盛りを入れておくことにより、作業者がずれ防止カバー部材４１ａ、４１ｂの外側からでも保持手段３によって保持されている帯状部材２の残量が容易に把握できるように構成しても良い。
【００３７】
また、一方のずれ防止カバー部材４１ｂには、図９に示すように、作業者の手１６の指１６ｃを固定するためのバンド１０を支持するためのバンド支持部材９が一体として形成されている。従って、図９に示すように、例えば、指１６ｃとして中指を固定するようにすれば、フリーになっている親指１６ａと人差し指１６ｂで、指先を使う他の作業も容易に行うことができる。指１６ｃを固定するバンド１０としては、詳しくは図示しないが、例えば、バンド支持部材９に通すことが可能な帯状に形成され、指の太さに応じて長さを調節して、面ファスナ等により着脱自在に固定することができるもの等を用いることができる。尚、ずれ防止カバー部材４１ｂとバンド支持部材９は、必ずしも一体成形する必要はなく、バンド支持部材９をずれ防止カバー部材４１ｂにねじ等で取り付けるように別々の部材として構成しても良い。
【００３８】
固定手段４２は、一対のずれ防止カバー部材４１ａ、４１ｂを規制状態で保持するためのものであって、本実施形態では、図１に示すように、一対のずれ防止カバー部材４１ａ、４１ｂが規制状態の際に当接する箇所にそれぞれ形成されている凹部４３及び凸部４４がその役割を果たしている。凹部４３は、弾性を有する樹脂等の材料によって構成されており、ずれ防止カバー部材４１ａに一体として形成されている。また、凸部４４は、弾性を有する樹脂等の材料によって構成されており、一対のずれ防止カバー部材４１ａ、４１ｂが規制状態の際に凹部４３と相対向するように、ずれ防止カバー部材４１ｂに一体として形成されている。そして、一対のずれ防止カバー部材４１ａ、４１ｂを規制状態で保持する際は、固定手段４２は、凹部４３と凸部４４が若干弾性変形して、係合するように構成されている。従って、相反する方向に一定以上の力が加わらない限りは、固定手段４２の係合状態は解除されないので、一対のずれ防止カバー部材４１ａ、４１ｂの規制状態が容易に解除されることを防止することができる。
【００３９】
一対の押さえ片５ａ、５ｂは、図１に示すように、基端側が一対のずれ防止カバー部材４１ａ、４１ｂに設けられた軸１１にそれぞれ回動自在に取り付けられている。この一対の押さえ片５ａ、５ｂでは、先端側が図１に示す所定位置からそれぞれ軸１１を中心に互いに近接する方向へ回動できるように構成されている。また、一対の押さえ片５ａ、５ｂには、例えば、ぞれぞれ基端側に外側へ突出する突起部５１が設けられており、この突起部５１は、一対の押さえ片５ａ、５ｂにそれぞれ一体として形成されており、一対のずれ防止カバー部材４１ａ、４１ｂにそれぞれ形成された略円弧状のスライド孔４５内に挿通されている。従って、一対の押さえ片５ａ、５ｂが回動する際は、この突起部５１がスライド孔４５に沿ってスライドし、一対の押さえ片５ａ、５ｂの回動範囲は、突起部５１がスライド孔４５に当接することにより、それ以上回動しないように規制される。尚、スライド孔４５の代わりに同形状のスライド溝をずれ防止カバー部材４１ａ、４１ｂにそれぞれ形成するようにしても良い。また、一対の押さえ片５ａ、５ｂの回動範囲を規制するための構成は、これらに限定されるものではなく、回動範囲を規制するための従来公知の構成を用いても良い。
【００４０】
また、一対の押さえ片５ａ、５ｂの互いに対向する側の面には、図１に示すように、それぞれ板ばね６が設けられている。このそれぞれの板ばね６は、一対の押さえ片５ａ、５ｂの互いに対向する側の面から一対のずれ防止カバー部材４１ａ、４１ｂの互いに対向する面へと跨って設けられており、一対の押さえ片５ａ、５ｂに対して先端側が互いに離反する方向へと回動させる付勢力を作用させている。従って、作業者が、一対の押さえ片５ａ、５ｂを先端側が所定位置から互いに近接するように内側方向へ押圧して回動させた後、内側方向への押圧をやめることにより、それぞれの板ばね６の付勢力によって、一対の押さえ片５ａ、５ｂは、それぞれ離反する方向へ回動させられ、図１に示す所定位置へと戻るようになっている。尚、図１では、一対の押さえ片５ａ、５ｂに対して先端側が互いに離反する方向へと回動させる付勢力を作用させる第１付勢手段として板ばね６を用いている例を示しているが、これに限定されるものではなく、一対の押さえ片５ａ、５ｂに対して先端側が互いに離反する方向へと回動させるように付勢力を作用させるものであれば良く、一対の押さえ片５ａ、５ｂ自身を弾性を有する樹脂等によって形成し、その復元力を利用するように構成しても良い。また、詳しくは図示しないが、積層された帯状部材２のうち最も下層側に位置する帯状部材２の外面２３の両端側が当接する一対の押さえ片５ａ、５ｂの内側面に、弾性を有する部材を設けておくことで、帯状部材２の端部同士が当接する際に若干撓むことにより、帯状部材２の接着面積が大きくなるように構成しても良い。
【００４１】
一対の端部カバー部材１２ａ、１２ｂは、図１及び図８に示すように、保持手段３に保持されている帯状部材２の両端側のずれをそれぞれ規制するためのものであって、一対の押さえ片５ａ、５ｂの先端側に、基端側がそれぞれ回動自在に取り付けられている。この一対の端部カバー部材１２ａ、１２ｂは、例えば、図１１に示すように、一対の押さえ片５ａ、５ｂの先端に形成されている嵌合溝５３に、一対の端部カバー部材１２ａ、１２ｂの基端側に設けられ、嵌合溝５３の溝幅と略同一の径を有する略円柱状に形成された嵌合軸１２１を押し込んで嵌合させることによって、一対の押さえ片５ａ、５ｂにそれぞれ取り付けられている。また、一対の端部カバー部材１２ａ、１２ｂの基端側は、弾性を有する樹脂等によって自然対数曲線に沿った形状に形成しておくことにより、一対の端部カバー部材１２ａ、１２ｂの先端側が互いに近接する方向へ回動するような付勢力（復元力）を生じさせる付勢手段（第２付勢手段）としての機能を有するように構成されている。これにより、一対の端部カバー部材１２ａ、１２ｂは、それぞれ外側方向へ回動した場合でも、自身が有する復元力によって互いに近接する方向へ回動し、元の状態に戻る。また、一対の押さえ片５ａ、５ｂには、突起部５２が設けられており、この突起部５２に端部カバー部材１２ａ、１２ｂが当接することにより回動範囲が規制されるようになっている。尚、図１及び図８では、帯状部材取り付け具１の正面図を示しているが、帯状部材取り付け具１の前後方向は、図５に示すように、対称になるように形成されており、ずれ防止カバー部材４１ａ、４１ｂ及び端部カバー部材１２ａ、１２ｂは、それぞれ内部に帯状部材２が収まるように構成されている。
【００４２】
また、一対の端部カバー部材１２ａ、１２ｂは、図１２に示すように、基端側が一対の押さえ片５ａ、５ｂの先端側に軸１３を介して着脱自在に取り付けられ、この軸１３を中心に回動するように構成しても良い。この一対の端部カバー部材１２ａ、１２ｂの基端側には、一対の押さえ片５ａ、５ｂの先端側から突出して設けられた突起部５２ａに沿った状態で回動するように、それぞれ略円弧状の凹部１４が形成されており、突起部５２ａが凹部１４の両端側で当接することにより、端部カバー部材１２ａ、１２ｂの回動範囲が規制される。また、それぞれの軸１３には、一対の端部カバー部材１２ａ、１２ｂの先端側を互いに近接する方向（内側方向）に回動させる付勢力を作用させるばね（第２付勢部材）１５がそれぞれ巻装されており、ばね１５の一端がそれぞれ一対の押さえ片５ａ、５ｂに取り付けられ、他端がそれぞれ一対の端部カバー部材１２ａ、１２ｂに取り付けられている。従って、一対の端部カバー部材１２ａ、１２ｂがそれぞれ外側方向へ回動した場合でも、ばね１５の付勢力によって一対の端部カバー部材１２ａ、１２ｂは互いに近接する方向へ回動し、元の状態に戻る。また、一対の端部カバー部材１２ａ、１２ｂは、一対の押さえ片５ａ、５ｂにそれぞれ着脱自在に取り付けられるので、必要に応じて使用することができる。
【００４３】
本実施形態に係る帯状部材取り付け具１では、保持手段３として、帯状部材２に形成されている貫通孔２１に挿通可能な挿通軸３１の先端側に設けられる複数のブラシ毛３２により保持している例を示しているが、保持手段３は、これに限定されるものではなく、例えば、図１３に示すように、帯状部材２の貫通孔２１の周囲に切れ目２４を複数入れておき、複数のブラシ毛３２の代わりに、挿通軸３１の先端に貫通孔２１よりも大きな径を有する略球状の拡径部３２ａを設けた保持手段３ａにより、図１４に示すように、複数の帯状部材２を保持するようにしても良い。尚、この拡径部３２ａを有する挿通軸３１は、連結部材７と一体として形成するようにしても良い。
【００４４】
また、球状の拡径部３２ａの代わりに、拡径部として図１５に示すように、外側方向に付勢力が作用する付勢部材（不図示）を挿通軸３１内に設けておくことにより、先端側が貫通孔２１の径よりも外側へと張り出す略三角形状の係止片３２ｂを設けた保持手段３ｂを用いるようにしても良い。この保持手段３ｂの係止片３２ｂは、帯状部材２の貫通孔２１に挿通軸３１を挿入させる際に、挿通軸３１の外周形成されたスリット（不図示）内に引込むことで挿通軸３１内に収まるように構成されており、帯状部材２が係止片３２ｂを通り過ぎた後は、付勢部材（不図示）によって外側に付勢力が作用することにより、再び元の状態に戻り、帯状部材２を保持する。
【００４５】
また、帯状部材２を保持するための保持手段としては、図１６に示すように、ずれ防止カバー部材４１（４１ａ、４１ｂ）の内面に面ファスナ３２ｃ等の摩擦部材を貼り付けた保持手段３ｃであっても良い。この保持手段３ｃのように面ファスナ３２ｃを貼り付けておくことにより、ずれ防止カバー部材４１（４１ａ、４１ｂ）内に収納された帯状部材２の両側縁との接触部分に作用する摩擦力によりずれ防止カバー部材４１（４１ａ、４１ｂ）内に保持することができる。尚、この場合には、挿通軸３１は、連結部材７と一体として形成するようにしても良い。また、図１６では、帯状部材２に形成されている貫通孔２１に挿通軸３１を挿通させた状態で帯状部材２を保持している状態を示しているが、図１７に示すように、帯状部材２に貫通孔２１を形成せずに、挿通軸３１を設けないように構成して、摩擦部材からなる保持手段３ｃによって帯状部材２を保持するようにしても良い。
【００４６】
以下、本実施形態に係る帯状部材取り付け具１を用いた帯状部材グ２の取り付け作業について図面を参照しつつ説明する。まず、帯状部材取り付け具１では、ブラシ毛３２に複数の帯状部材２を保持するために、図４に示すように、一対のずれ防止カバー部材４１ａ、４１ｂを規制状態から解除状態になるように外側方向へ回動させる。そして、この状態で、積層された複数の帯状部材２の接着部を有しない外面２３側から挿通軸３１を貫通孔２１へ挿通させ、その後、再び一対のずれ防止カバー部材４１ａ、４１ｂを解除状態から規制状態に戻すように内側方向へ回動させる。これにより、図８に示すように、ブラシ毛３２によって保持された複数の帯状部材２は、一対のずれ防止カバー部材４１ａ、４１ｂによって挿通軸３１を中心とする回転等によるずれが規制され、且つ、複数の帯状部材２の両端側も一対の端部カバー部材１２ａ、１２ｂによってずれが規制された状態になり、帯状部材２の取り付け作業を行うための準備が完了する。
【００４７】
次に、このように複数の帯状部材２が装着された帯状部材取り付け具１を用いて、対象物Ｘに帯状部材２を取り付ける際には、図９に示すように、例えば、まず親指１６ａと中指１６ｃを押さえ片５ａ、５ｂに当てて、中指１６ｃをバンド１０で押さえ片５ｂに固定する。そして、積層された帯状部材２のうち、最も上層側に位置する帯状部材２の内面２２側に対象物Ｘを位置させた状態で、作業者は、図９に示すように、板ばね６の付勢力に抗して、一対の押さえ片５ａ、５ｂの先端側が互いに近接するように内側方向にそれぞれ押圧する。これにより、一対の押さえ片５ａ、５ｂによって最も下層側に位置する帯状部材２の外面２３が押圧され、最も上層側に位置する帯状部材２の内面２２の接着部同士が当接する。この際、最も上層側に位置する帯状部材２の内面２２の接着部同士が当接する前に、一対の端部カバー部材１２ａ、１２ｂが互いに当接することになるが、一対の端部カバー部材１２ａ、１２ｂは、一対の押さえ片５ａ、５ｂの先端側が互いに近接する方向に対して逆方向にそれぞれ回動できるように構成されているので、図９に示すように、最も上層側に位置する帯状部材２の内面２２の接着部同士、特に帯状部材２の両端部分を当接させることができ、帯状部材２は、対象物Ｘの周囲を囲んだ状態で、リング状に形成され、対象物Ｘに取り付けられる。この作業中に、対象物Ｘを掴む必要がある時は、空いているもう一方の手で掴んでも良い。また、帯状部材取り付け具１を持っている手の方の親指１６ａと人差し指１６ｂはフリーになっているので、この２本の指で他の作業をすることもできる。この場合でも、中指１６ｃはバンド１０で押さえ片５ｂに固定されているので、帯状部材取り付け具１が落下することはない。
【００４８】
その後、作業者は、一対の押さえ片５ａ、５ｂの内側方向への押圧をやめることにより、図１０に示すように、板ばね６の付勢力によって、一対の押さえ片５ａ、５ｂは、軸１１を中心に先端側がそれぞれ離反する方向へ回動させられ、所定位置へと戻ると共に、一対の端部カバー部材１２ａ、１２ｂも、自身の付勢力によって内側方向に回動し、元の状態に戻る。そして、対象物Ｘの周囲を囲むようにリング状に形成され、対象物Ｘに取り付けられた帯状部材２ａを挿通軸３１から抜き出すことにより、対象物Ｘへ帯状部材２が取り付けられる。この抜き出しは、対象物Ｘをリング状になった帯状部材２で囲んでおり、又、積層された帯状部材２は互いに接着していないので、押さえ片５ａ、５ｂを押えている２本の指から力を抜いて引っ張るだけで、簡単に抜け出せる。その後、作業者は、対象物Ｘを結束するために、対象物Ｘに取り付けた帯状部材２を適宜捩じる。本実施形態では、図２に示すように、帯状部材２として結束材を用いているので、作業者によって捩じられた帯状部材２はその状態が維持されるので、容易に対象物Ｘを結束することができる。
【００４９】
尚、帯状部材２は、本実施形態に限定されるものではなく、例えば、殺虫剤、害虫忌避剤、栄養補助剤等の薬剤を塗布又は含浸させたものであっても良い。これにより、例えば、対象物Ｘが野菜や果物等の植物の場合には、対象物Ｘに帯状部材２を取り付けることによって対象物Ｘに害虫が寄ってくることを防止したり、対象物Ｘの栽培や育成を促進したりすることができる。
【００５０】
また、帯状部材２ａとしては、例えば、図１８及び図１９に示すように、対象物Ｘに対応するバーコード（識別情報）２５ａ、２５ｂが付与されているもの等を用いても良い。この帯状部材２ａは、両端側にそれぞれ切り離し用のミシン目２６がそれぞれ形成されており、帯状部材取り付け具１を用いて、対象物Ｘに取り付ける際に、内面側に設けられた接着部同士が当接して接着されることにより形成される接着部分にそれぞれのミシン目２６が位置するようになっている。
【００５１】
また、帯状部材２ａでは、図１９に示すように、識別情報２５ａ、２５ｂは、ミシン目２６で切り離される切り離し部分２７と、リング状に形成されているリング状部分２８とに、互いに対応付けられて付与されている。従って、このような帯状部材２ａでは、作業者は、帯状部材取り付け具１を用いて、対象物Ｘに帯状部材２ａを取り付けた後、ミシン目２６で切り離した識別情報２５ａが付与されている切り離し部分２７を所持しておくことによって、識別情報２５ａと対応付けられている識別情報２５ｂが付与されているリング状部分２８が取り付けられている対象物Ｘを容易に識別することができる。尚、識別情報２５ａ、２６ｂは、バーコードに限定されるものではなく、例えば、二次元コード等の従来公知の識別に用いられる識別情報を適宜用いることができる。
【００５２】
また、本発明の実施の形態は上述の形態に限るものではなく、本発明の思想の範囲を逸脱しない範囲で適宜変更することができる。
【符号の説明】
【００５３】
１              帯状部材取り付け具
２、２ａ        帯状部材
２１            貫通孔
２２            内面
２３            外面
２４            金属線
２５ａ、２５ｂ  バーコード（識別情報）
２６            ミシン目
２７            切り離し部分
２８            リング状部分
３〜３ｃ        保持手段
３１            挿通軸
３２            ブラシ毛
４              ずれ防止部
４１ａ、４１ｂ  ずれ防止カバー部材
４２            固定手段
５ａ、５ｂ      押さえ片
６              板ばね（第１付勢手段）
９              バンド支持部材
１０            バンド
１２ａ、１２ｂ  端部カバー部材
１５            ばね（第２付勢手段）
【図１】
2017036085.tif 000003
【図２】
2017036085.tif 000004
【図３】
2017036085.tif 000005
【図４】
2017036085.tif 000006
【図５】
2017036085.tif 000007
【図６】
2017036085.tif 000008
【図７】
2017036085.tif 000009
【図８】
2017036085.tif 000010
【図９】
2017036085.tif 000011
【図１０】
2017036085.tif 000012
【図１１】
2017036085.tif 000013
【図１２】
2017036085.tif 000014
【図１３】
2017036085.tif 000015
【図１４】
2017036085.tif 000016
【図１５】
2017036085.tif 000017
【図１６】
2017036085.tif 000018
【図１７】
2017036085.tif 000019
【図１８】
2017036085.tif 000020
【図１９】
2017036085.tif 000021
【図２０】
2017036085.tif 000022